(57)【特許請求の範囲】
【請求項１】
カルーセル伝送方式により送出するデータ放送のモジュールを更新するときに、カルーセルに従い送出されている複数のモジュールの中から、更新された更新モジュールをリアルタイムで検出して、該更新モジュールを優先的に送出し、
前記更新モジュールの優先的送出は、送出中のカルーセルを中断し、前記更新モジュールを含む更新カルーセルを生成し、該更新カルーセルを初回に送出する時に、該更新モジュールを先頭から複数回繰り返して送出することを特徴とするデータ放送送出方法。
【請求項２】
デジタル放送によるデータ放送において、放送番組供給システムから送出されるコンテンツをカルーセル伝送方式によりモジュール単位で送信するデータ放送送出装置であって、
前記放送番組供給システムから送出される前記モジュールの更新情報をリアルタイムに検出する手段と、前記モジュールの更新情報を検出した場合に前記放送番組供給システムから更新モジュールを受信する受信手段と、前記更新モジュールに基づいて更新カルーセルを生成する手段と、送出中のカルーセルによるモジュール送出を中止し、該更新カルーセルを初回に送出する時に、該更新モジュールを先頭から複数回繰り返して送出する送出手段と、を備えていることを特徴とするデータ放送送出装置。
【発明の詳細な説明】
【０００１】
【発明の属する技術分野】
本発明は、データ放送送出方法及びデータ放送送出装置に関する。詳しくは、カルーセル伝送方式のデータ放送において、所望のタイミングでモジュールを更新し、更新モジュールを優先的に送出することにより、受信側における画面更新を高速にするデータ放送送出方法及びデータ放送送出装置に関する。
【０００２】
【従来の技術】
従来技術において、デジタル放送によるデータ放送では、受信機で解釈できるＢＭＬ言語（Ｂｒｏａｄｃａｓｔ  Ｍａｒｋｕｐ  Ｌａｎｇｕａｇｅ）で記述されたプログラム＝コンテンツを、ＩＳＯ／ＩＥＣ１３８１８−６規格で定義されたＤＳＭ−ＣＣ（Ｄｉｇｉｔａｌ  Ｓｔｏｒａｇｅ  Ｍｅｄｉａ  Ｃｏｍｍａｎｄ  ａｎｄ  Ｃｏｎｔｒｏｌ）カルーセル伝送方式で受信機に対して繰り返し送出している。
【０００３】
まず、ＤＳＭ−ＣＣカルーセル方式によるデータ放送の仕組みを図７を参照しながら説明する。データ放送で送出するＢＭＬ言語で記述されたコンテンツ＝ＢＭＬコンテンツ５００は、通常、複数のファイルから構成されている。このＢＭＬコンテンツを構成する複数のファイルのうち、受信側で同一画面を構成するファイルなどを１つの纏まりとして、ＨＴＴＰ（Ｈｙｐｅｒ  Ｔｅｘｔ  Ｔｒａｎｓｆｅｒ  Ｐｒｏｔｏｃｏｌ）のマルチパート化により１つのファイルに合成したモジュール６００（Ａモジュール６１０、Ｂモジュール６２０・・・）を作成する。モジュール６００は、デジタル放送では放送帯域は限られているため伝送する容量はなるべく減らしたいので、例えば、送出中のコンテンツの一部分のみを更新するときに、更新したい部分をモジュール単位で送出することにより、ＢＭＬコンテンツの更新を行うことができ、それ以外のモジュールは以前（既存）のモジュールを使用することで伝送（送出）する容量を減らすことができる。
【０００４】
次に、作成したモジュール６００の各モジュール（Ａモジュール６１０、Ｂモジュール６２０・・・）を固定されたサイズ（４０６６バイト）のＤＤＢ（Ｄｏｗｎｌｏａｄ  Ｄａｔａ  ｂｌｏｃｋ）７００と呼ばれる単位のブロックに分割する。分割されたＤＤＢ７１０（ＤＤＢ７１１、７１２・・・）、ＤＤＢ７２０・・・にはブロック番号が割り当てられ、受信機ではこのブロック番号順に分割されたＤＤＢ７００（ＤＤＢ７１１、７１２・・・）を並べることでモジュール６００（Ａモジュール６１０、Ｂモジュール６２０・・・）を再構成することができる。又、ＢＭＬコンテンツ５００を構成する各モジュールの構成情報を記述したＤＩＩ（Ｄｏｗｎｌｏａｄ  Ｉｎｆｏ  Ｉｎｄｉｃａｔｉｏｎ）７５０と呼ばれるブロックを作成する。
【０００５】
更に、作成したＤＤＢ７００とＤＩＩ７５０を、デジタル放送で送出するための所定のサイズ（１８８バイト）のＴＳパケット８００（ＴＳパケット８１１ａ・・・、ＴＳ８１２ａ・・・）に分割する。分割されたＴＳパケット８００を、それぞれのモジュール単位でトランスポートストリームの所定の位置＝スロット９１０に所定の順番で送り出してカルーセル９００として送信する。そして全てのＴＳパケット８００の送出が完了すると、再び最初から同じＴＳパケット８００（ＴＳパケット８１１ａ・・・）を同じ順序での送出を繰り返す。
【０００６】
図７は、ＢＭＬコンテンツ５００をカルーセル伝送方式で送出時を略示的に示したもので、ＢＭＬコンテンツ５００を、同一画面を構成するファイルなどを１つの纏まりとしてＨＴＴＰのマルチパート化で１つのファイルに合成したＡモジュール６１０、Ｂモジュール６２０、Ｃモジュール６３０、Ｄモジュール６４０が作成され、次に、作成したＡモジュール６１０〜Ｄモジュール６４０をそれぞれ固定されたサイズのＤＤＢ７００（ＤＤＢ７１１、７２２・・・）に分割し、各モジュールの構成情報を記述したＤＩＩ７５０を作成する。更に、作成されたＤＤＢ７００とＤＩＩ７５０は、Ａモジュール６１０がＴＳパケット８１１ａ・・・、８１２ａ・・・、Ｂモジュール６２０がＴＳパケット８２１ａ・・・、８２２ａ・・・というように所定のサイズのＴＳパケットに分割される。そして、分割したＴＳパケット８００を、各モジュール単位でトランスポートストリームの所定の位置＝スロット９１０に所定の順番で送出してカルーセル９００として送信する。
【０００７】
この場合、最初にカルーセル９００の基点となるＤＩＩ７５０を構成するＴＳパケット８５０を送り出し、続いてＡモジュール６１０→Ｂモジュール６２０→Ｃモジュール６３０→Ｄモジュール６４０の順で分割したＴＳパケット群を送り出し、全てのＴＳパケットの送出が完了すると、再び最初から同じ順序ＤＩＩ７５０→Ａモジュール６１０→Ｂモジュール６２０→Ｃモジュール６３０→Ｄモジュール６４０の順でＴＳパケットの送出を繰り返す。
【０００８】
一方、データ放送の受信側においては、受信機によって繰り返し送出されているＴＳパケット８００＝カルーセル９００のうち、ＤＩＩ７５０を含むＴＳパケットを受信すると、ＤＩＩ７５０を構成するＴＳパケット８５１、８５２を再構成して各モジュール（Ａモジュール６１０〜Ｄモジュール６４０）の構成情報を得る。次に、この各モジュールの構成情報を参照し、受信したＴＳパケットから、各モジュールを復元し、所定のファイルで構成されるＢＭＬコンテンツの再構成を行う。そして、再構成されたＢＭＬコンテンツをＢＭＬエンジンで再生して画面表示する。
【０００９】
【発明が解決しようとする課題】
しかしながら、あるモジュールの更新を行うときは、カルーセルの基点となる次の送出タイミングを待って、更新モジュールを含む新たなカルーセルを送出して、モジュールの更新を行わなければならないという問題がある。
【００１０】
例えば、上述の図７ようなＤＩＩ→Ａモジュール→Ｂモジュール→Ｃモジュール→Ｄモジュールの順で送出しているカルーセルを送出している場合において、ＤＩＩ（を構成するＴＳパケット）の送出直後に、Ｂモジュール更新指示が行われると、カルーセルがＤＩＩ→Ａモジュール→Ｂモジュール→Ｄモジュール→Ｃモジュールというように一周するのを待って、更新したＢモジュールによる新たなカルーセルの送出を行わなければならない。
【００１１】
一方、受信側では、例えば、株価情報や災害情報などの即時性が重要なコンテンツが更新された場合に、更新されたコンテンツ（モジュール）がすぐに反映されないという問題がある。
【００１２】
従って、カルーセル伝送方式によるデータ放送において、更新したいコンテンツ（モジュール）を所望のタイミングで更新できるようにすると共に、更新したコンテンツ（モジュール）を受信側でできるだけ速く表示できるようにすることに解決しなければならない課題を有する。
【００１３】
【課題を解決するための手段】
前記課題を解決するため、本発明に係るデータ放送送出方法及びデータ放送送出装置は次のような構成にすることである。
【００１４】
（１）カルーセル伝送方式により送出するデータ放送のモジュールを更新するときに、カルーセルに従い送出されている複数のモジュールの中から、更新されたモジュールを優先的に送出するようにしたことを特徴とするデータ放送送出方法。
（２）前記更新されたモジュールの送出は、送出中のカルーセルを中断し、前記更新されたモジュールを含むカルーセルに従って該更新されたモジュールから順に送出することを特徴とする（１）に記載のデータ放送送出方法。
（３）前記更新されたモジュールは、該モジュールの初回送出のときに複数回繰り返して送出することを特徴とする（２）に記載のデータ放送送出方法。
【００１５】
（４）デジタル放送によるデータ放送において、コンテンツをカルーセル伝送方式によりモジュール単位で送信するデータ放送送出装置であって、前記モジュールの更新情報をリアルタイムに検出する手段と、前記モジュールの更新情報を検出した場合に、更新モジュールを受信する受信手段と、前記更新モジュールに基づいて更新カルーセルを生成する手段と、送出中のカルーセルによるモジュール送出を中止し、前記生成された更新カルーセルに従って前記更新モジュールを優先的に送出する送出手段と、を備えていることを特徴とするデータ放送送出装置。
（５）前記更新カルーセルを生成する手段は、前記受信した更新モジュールと更新前のカルーセルで送出されている当該モジュールとだけを入れ替え、該更新モジュールから順に送出する更新カルーセルを生成することを特徴とする（４）に記載のデータ放送送出装置。
（６）前記送出手段は、前記更新モジュールを所定の回数送出することを特徴とする（４）に記載のデータ放送送出装置。
（７）前記送出手段は、前記更新されたモジュールの初回送出のときに該モジュールを複数回繰り返して送出することを特徴とする（４）に記載のデータ放送送出装置。
【００１６】
（８）デジタル放送によるデータ放送のコンテンツを構成するモジュールを送出する装置であって、送出するためのモジュールを受信する手段と、モジュールの更新情報をリアルタイムに検出する手段と、前記更新情報に従って送出中のモジュールの送出を中止し、該更新情報で指定される更新モジュールを優先的に送出する手段と、を備えたことを特徴とするデータ放送送出装置。
（９）前記送出する手段は、更新前のモジュールを更新モジュールに置き換えて、更新モジュールから順に送出することを特徴とする（８）に記載のデータ放送送出装置。
（１０）前記送出する手段は、更新モジュールを所定回数送出した後、更新されていないモジュールを送出することを特徴とする（９）に記載のデータ放送送出装置。
【００１７】
このようなデータ放送送出方法及びデータ放送送出装置により、モジュールの更新を検出すると、更新モジュールのみを、更新前のカルーセルの当該モジュールと入れ替えて更新カルーセルを生成し、送出中のカルーセルによるモジュール送出を中止して、生成した更新カルーセルに従って更新モジュールから順にモジュールの送出を行うことできるので、更新されたモジュール（＝コンテンツ）が優先的に送出され、受信側における画面更新が速くなる。
【００１８】
また、更新カルーセルによる初回のモジュール送出時に更新モジュールを複数回繰り返して送出することにより、受信機側で更新カルーセルが更新された直後すぐにデータ放送を受信した場合に、更新モジュールの受信タイミングを逸することを防止することができる。
【００１９】
【発明の実施の形態】
次に、本発明に係るデータ放送送出方法及びデータ放送送出装置の実施の形態を図面を参照して説明する。
【００２０】
図１は、デジタル放送によるデータ放送の送受信システムであり、放送番組であるコンテンツを作成して提供する番組供給事業者の放送番組供給システム１００と、各放送番組供給システム１００とネットワークを介して接続され、放送番組供給システム１００から送られてくる放送番組（コンテンツ）を衛星等を介して送出する放送事業者のデータ放送送信システム２００と、データ放送を受信して再生する受信システム３００とから構成される。
【００２１】
放送番組供給システム１００は、リアルタイムデータ送信部１１０と、モジュール作成部１２０とを具備しており、専用回線等のネットワークを介して放送事業者のデータ放送送信システム２００と常時接続されている。
【００２２】
リアルタイムデータ送信部１１０は、データ放送送信システム２００に対してリアルタイムでモジュールの更新要求を行い、モジュール作成部１２０で作成された更新モジュールを送出する機能を備えている。
【００２３】
モジュール作成部１２０は、放送番組の内容を画像ファイルや文字ファイル等の複数のファイルによって構成しているＢＭＬ（Ｂｒｏａｄｃａｓｔ  Ｍａｒｋｕｐ  Ｌａｎｇｕａｇｅ）コンテンツを、受信側で同一画面を構成するファイルを１つにまとめてＨＴＴＰ（Ｈｙｐｅｒ  Ｔｅｘｔ  Ｔｒａｎｓｆｅｒ  Ｐｒｏｔｏｃｏｌ）のマルチパート化により１つのファイルとして合成したモジュールを作成し、リアルタイムデータ送信部１１０などに送る。
【００２４】
データ放送送信システム２００は、リアルタイムデータ受信部２１０と、カルーセル生成部２２０と、データ送出部２３０と、送信アンテナ２４０とを具備しており、専用回線等のネットワークを介して放送番組供給システム１００と常時接続されている。
【００２５】
リアルタイムデータ受信部２１０は、放送番組供給システム１００からモジュール単位で送られてくる放送番組を受信してカルーセル生成部２２０に送る。又、放送番組供給システム１００（のリアルタイムデータ送信部１１０）からのモジュール更新要求を常時監視し、カルーセル生成部２２０に通知する機能を備えている。
【００２６】
カルーセル生成部２２０は、リアルタイムデータ受信部２１０から送られてくるモジュールを、固定されたサイズ（４０６６バイト）に分割してＤＤＢ（Ｄｏｗｎｌｏａｄ  Ｄａｔａ  ｂｌｏｃｋ）を作成すると共に、各モジュールを再構成するための構成情報を記述したＤＩＩ（Ｄｏｗｎｌｏａｄ  Ｉｎｆｏ  Ｉｎｄｉｃａｔｉｏｎ）ブロックを作成する。更に、作成したＤＩＩとＤＤＢをデジタル放送で送出するための所定のサイズ（１８８バイト）に分割してＴＳパケットを作成し、このＴＳパケットを、ＤＩＩ及び各モジュール毎の纏まり＝ＴＳパケット群として所定の順序で送出するためのカルーセルを生成してデータ送出部２３０に送る。
【００２７】
又、カルーセル生成部２２０は、リアルタイムデータ受信部２１０からのモジュール更新要求を検知すると、リアルタイムデータ受信部１１０を介して送られてくる更新モジュールにより新たなカルーセル＝更新カルーセルを作成するためのＤＩＩを作成するとともに、更新モジュールをＤＤＢに分割し、更に、ＤＩＩとＤＤＢをＴＳパケットに分割して更新モジュールのＴＳパケット群を作成する。続いて、新たなＤＩＩを基点とし、先頭に更新モジュールのＴＳパケット群、続いて、更新していないモジュールを構成するＴＳパケット群の順番で配置した更新カルーセルを生成するカルーセル更新機能を備えている。
【００２８】
データ送出部２３０は、カルーセル生成部２２０で生成されるカルーセルの順序に従って送られてくるＴＳパケット群（＝データ放送番組）をトランスポートストリームとして送信アンテナ２４０を介して衛星２５０にアップロードする。又、更新カルーセルを送出する場合、初回の送出時に更新モジュールを構成するＴＳパケット群を先頭から複数回繰り返して送り出し、続いて、更新していないモジュールを構成するＴＳパケット群の順で送出するという順番のカルーセルを生成して送り出す。尚、更新モジュールは、初回の送出時だけでなく、更新カルーセルに所望の順序で複数回送出するようにしても良い。
【００２９】
衛星２５０は、送信アンテナ２４０からアップロードされたトランスポートストリームを中継して受信システム３００に送出する。尚、受信システム３００との送受信は、衛星を利用したものでなく、地上波や有線ネットワークを利用することも可能であることは勿論である。
【００３０】
受信システム３００は、衛星２５０からのデータ放送を受信する受信アンテナ３１０と、受信アンテナ３１０で受信したデータ放送（＝ＴＳパケット群）の受信機３２０とからなる。受信機３２０は、受信アンテナ３１０で受信したデータ放送＝ＴＳパケット群からＤＩＩを構成するＴＳパケットを検知すると、ＤＩＩを再構成して放送番組を構成する各モジュールの構成情報を得る。次に、各モジュールの構成情報を参照し、受信したＴＳパケットからＤＤＢ→モジュールを再構成して、所望のモジュールを復元し、復元されたモジュール（複数のファイル）をＢＭＬエンジンで再生して画面表示する。
【００３１】
このようなカルーセル伝送方式で送出されているデータ放送の送受信システムにおいて、データ放送の内容＝モジュールの更新を行う場合の動作について図を参照しながら説明する。
【００３２】
まず、現在送出されているデータ放送のカルーセルは、図３に示すようなＡ〜Ｄモジュールを構成するＴＳパケット群１０〜４０（以下、Ａモジュール１０、Ｂモジュール２０、Ｃモジュール３０、Ｄモジュール４０とする）と、各モジュールの構成情報を有するＤＩＩ５のＴＳパケット群５０（以下、ＤＩＩ５０とする）とから構成されており、ＤＩＩ５０→Ａモジュール１０→Ｂモジュール２０→Ｃモジュール３０→Ｄモジュール４０の順に繰り返し送出されている（ＳＴ１０）。
【００３３】
データ放送送信システム２００では、まず、現在放送中のデータ放送（カルーセル）が終了が否かの判別する（ＳＴ１１）。放送終了でない場合は、放送番組供給システム１００（のリアルタイムデータ送信部１１０）からのモジュール更新要求の監視を行う（ＳＴ１３）。モジュール更新要求（割り込み）がない場合は、カルーセルの送出を継続し、再び現在送出中のカルーセルが終了か否かの判別を行い、モジュール更新要求の監視を繰り返す（ＳＴ１３→ＳＴ１０→ＳＴ１１）。データ放送終了の場合は、カルーセルの送出を停止する（ＳＴ１２）。
【００３４】
一方、データ放送送信システム２００のリアルタイムデータ受信部２１０では、ネットワークを介して放送番組供給システム１００から送られてくるモジュール更新要求をリアルタイムでチェックし、更新要求がない場合はチェックを繰り返す（ＳＴ２０）。モジュールの更新要求を検出すると、リアルタイムデータ受信部２１０で放送番組供給システム１００のリアルタイムデータ送信部１１０から送られてくる更新モジュールを受信してカルーセル生成部２２０に送る（ＳＴ２１）。
【００３５】
ここで、Ｂモジュール２０を更新する場合を例に説明する（図２参照）。カルーセル生成部２２０は、リアルタイムデータ受信部２１０を介して送られてくるＢモジュール２０の更新モジュールを取得すると、更新カルーセルのＤＩＩを作成するとともに、更新モジュールをＤＤＢに分割する（ＳＴ２２）。更に、作成したＤＩＩとＤＤＢをＴＳパケット部で更新モジュールのＤＤＢを分割してＴＳパケットを作成する（ＳＴ２３）。
【００３６】
続いて、カルーセル生成部２２０では、図４に示すように、新たなＤＩＩを構成するＴＳパケット群＝ＤＩＩ５０’を基点とし、先頭に更新モジュールのＴＳパケット群＝Ｂモジュール２０’を配置し、続いて、更新していないＡモジュール１０、Ｃモジュール３０、Ｄモジュール４０を順次配置するという順番（ＤＩＩ５０’→Ｂモジュール２０’→Ｃモジュール３０→Ｄモジュール４０→Ａモジュール１０の順）の更新カルーセルを生成する（ＳＴ２４）。そして、現在送出中のカルーセル（図２参照）と差し替えるためにデータ送出部２３０に割り込みをかける（ＳＴ２５）。
【００３７】
データ送出部２３０では、モジュール生成部２２０からの割り込みを検知すると、現在ＤＩＩ５０→Ａモジュール１０→Ｂモジュール２０→Ｃモジュール３０→Ｄモジュール３０の順の繰り返し送出しているカルーセル（図２参照）によるモジュール送出を中止する（ＳＴ１４）。
【００３８】
続いて、データ送出部２３０は、カルーセル生成部２２０からの更新カルーセルに従い各モジュールの送出を行う。ここで、更新カルーセルにより各モジュールを送り出す場合、初回の送出のときにカルーセル生成部２２０から更新モジュールであるＢモジュール２０’を複数回繰り返して送り出し、図５に示すような、ＤＩＩ５０’→Ｂモジュール２０’→Ｂモジュール２０’→Ｃモジュール３０→Ｄモジュール４０→Ａモジュール１０の順番となるカルーセルに従い各モジュールを送出する（ＳＴ１５）。そして、初回のカルーセルが一巡すると、カルーセル生成部２２０からＤＩＩ５０’→Ｂモジュール２０’→Ｃモジュール３０→Ｄモジュール４０→Ａモジュール１０の順で作成された更新カルーセルに従い各モジュールの送出を繰り返す（ＳＴ１６→ＳＴ１０）。
【００３９】
データ送出部２３０で送出されるカルーセル＝ＴＳパケット群は、送信アンテナ２４０により衛星２５０にアップロードされ、衛星２５０を介して受信システム３００に送出される。
【００４０】
受信システム３００では、受信機３２０によって、受信アンテナ３１０で受信したデータ放送（＝更新カルーセル）を受信して、ＤＩＩ５０’を検知すると、ＤＩＩを再構成して放送番組を構成する各モジュールの構成情報を得る。次に、各モジュールの構成情報を参照し、受信したＴＳパケットからＤＤＢ→モジュールを再構成して、所望のモジュールを復元し、復元されたモジュール（複数のファイル）をＢＭＬエンジンで再生して画面表示する。
【００４１】
【発明の効果】
以上説明したようなデータ放送送出方法及びデータ放送送出装置により、送出中のコンテンツ（放送番組）＝モジュールを更新する場合、カルーセルの送出途中であったとしても、割り込みをかけて現在送出中のカルーセルを中断し、更新する内容＝更新モジュールを優先的に送出する更新カルーセルによりモジュール送出を行うことができる。従って、任意のタイミングでコンテンツの更新を行っても、受信側に対して更新内容（更新モジュール）を速く反映することが可能となり、例えば、地震情報や株価情報などの即時性が重要なコンテンツもより速く表示することができる。
【００４２】
また、更新カルーセルによるモジュール送出の初回送出のときに、更新モジュールを複数回繰り返して送出することによって受信機側で更新カルーセルが送出された直後すぐにデータ放送を受信した場合、ＤＩＩの解析が終わる前に更新モジュールが到着するので、結果的に更新カルーセルが一巡するまで更新モジュールを受信できないということを防止することができる。
【図面の簡単な説明】
【図１】本発明に係るデータ放送送出方法によるデジタル放送のデータ放送送受信システムの構成を略示的に示した概略図である。
【図２】本発明に係るデータ放送送出方法及びデータ放送送出装置により送出されるカルーセルの構成を略示的に示した概略図である。
【図３】本発明に係るデータ放送送出方法及びデータ放送送出装置によりカルーセルを更新する場合の手順を示したフローチャートである。
【図４】本発明に係るによりカルーセルの更新した場合のカルーセルの構成を示した概略図である。
【図５】本発明に係るデータ放送送出方法及びデータ放送送出装置によりカルーセルの更新した場合の初回送出時に送出するカルーセルの構成を示した概略図である。
【図６】カルーセル伝送方式によるデータ放送のカルーセルの生成過程を示した概略図である。
【図７】カルーセル伝送方式によるデータ放送により送出されるカルーセルの構成を示した概略図である。
【符号の説明】
１００；放送番組供給システム、１１０；リアルタイムデータ送信部、１２０；モジュール作成部、２００；データ放送送信システム、２１０；リアルタイムデータ受信部、２２２０；カルーセル生成部、２３０；データ送出部、２４０；送信アンテナ、２５０；衛星、３００；受信システム、３１０；受信アンテナ、３２０；受信機、５；ＤＩＩ、１０；ＡモジュールのＴＳパケット群、２０；ＢモジュールのＴＳパケット群、３０；ＣモジュールのＴＳパケット群、４０；ＤモジュールのＴＳパケット群、２０’；更新ＢモジュールのＴＳパケット群、５０’；更新ＤＩＩ、５００；ＢＭＬコンテンツ、５１０；ファイル、５２０；ファイル、６００；モジュール、６１０；モジュール（Ａモジュール）、６２０；モジュール（Ｂモジュール）、７００；ＤＤＢ、７１０、７１１、７１２；ＤＤＢ（Ａモジュール）、７２０、７２１；ＤＤＢ（Ｂモジュール）、７５０；ＤＩＩ、８００；ＴＳパケット、８１０、８１１、８１１ａ、８１２、８１２ａ；ＴＳパケット（Ａモジュール）、８２０、８２１、８２１ａ、８２２、８２２ａ；ＴＳパケット（Ｂモジュール）、８５０；ＴＳパケット（ＤＩＩ）、９００；カルーセル、９１０；スロット、５Ａ；ＤＩＩ、１０Ａ；ＡモジュールのＴＳパケット群、２０Ａ；ＢモジュールのＴＳパケット群、３０Ａ；ＣモジュールのＴＳパケット群、４０Ａ；ＤモジュールのＴＳパケット群
【図１】
0004556353.tif 000002
【図２】
0004556353.tif 000003
【図３】
0004556353.tif 000004
【図４】
0004556353.tif 000005
【図５】
0004556353.tif 000006
【図６】
0004556353.tif 000007
【図７】
0004556353.tif 000008